(57)【要約】【課題】主体部をポケットコイルにより構成させたマットレスにおいて、その隅部の形状のデザインの自由度を高めると共に、この隅部の保護をより強化できるようにする。【解決手段】複数のポケットコイル１、１…を寄せ集めてなるマットレスＭである。このマットレスＭの隅部Ｍｂが、この隅部Ｍｂを挟んで隣り合うマットレスＭの一辺を形作るポケットコイル１と、この隅部Ｍｂを挟んで隣り合うマットレスＭの他の一辺を形作るポケットコイル１との間に形成されたこのポケットコイル１を構成する圧縮コイルスプリング１ａ略一つ分の空間Ｓに納められたコーナー部材７により形作られている。【選択図】図３
2010259701.tif 000002
【特許請求の範囲】
【請求項１】
複数のポケットコイルを寄せ集めてなるマットレスであって、
このマットレスの隅部が、この隅部を挟んで隣り合うマットレスの一辺を形作るポケットコイルと、この隅部を挟んで隣り合うマットレスの他の一辺を形作るポケットコイルとの間に形成されたこのポケットコイルを構成する圧縮コイルスプリング略一つ分の空間に納められたコーナー部材により形作られるようになっていることを特徴とするマットレス。
【請求項２】
コーナー部材は、出隅を形成するように交わる二つの外側面と、マットレスの一辺を形作るポケットコイルに接する内側面と、マットレスの他の一辺を形作るポケットコイルに接する内側面とを備えてなることを特徴とする請求項１に記載のマットレス。
【請求項３】
コーナー部材の内側面の少なくとも一部が、ポケットコイルを構成する圧縮コイルスプリングの円弧に倣った湾曲面となっていることを特徴とする請求項２に記載のマットレス。
【請求項４】
コーナー部材が、プラスチックフォーム材又フォームラバー材から構成されていることを特徴とする請求項１〜請求項３のいずれか１項に記載のマットレス。
【発明の詳細な説明】
【技術分野】
【０００１】
この発明は、主体部をポケットコイルにより構成させたマットレスの改良に関する。
【背景技術】
【０００２】
ポケットコイル（特許文献１参照）を寄せ集めてマットレスの主体部を構成させてなるマットレスがある。図５にその概要を示す。（図中、符号１０１はポケットコイル、符号１０２はボーダーワイヤー、符号１０３はシーティング、符号１０４はクッション、符号１０５はキルトパネル、符号１０６はボーダー、符号１０７は隅部の保護用クッションである。）このように構成されるマットレスにあっては、その隅部、つまり、隣り合う側面間のコーナー部は、そこに位置されるポケットコイル１０１の外径に倣ったアールを持ったものとなる。すなわち、かかるマットレスの隅部の形状はポケットコイル１０１の形状に依存したものにならざるを得なかった。
【０００３】
また、かかるマットレスの隅部は、その輸送時などにおいて外力の作用を受けやすい箇所であるところ、前記保護用クッション程度ではこうした外力の吸収には限界がある。
【先行技術文献】
【特許文献】
【０００４】
【特許文献１】特開２００１−２８９２７６号公報
【発明の概要】
【発明が解決しようとする課題】
【０００５】
この発明が解決しようとする主たる問題点は、主体部をポケットコイルにより構成させたマットレスにおいて、その隅部の形状のデザインの自由度を高めると共に、この隅部の保護をより強化できるようにする点にある。
【課題を解決するための手段】
【０００６】
前記課題を達成するために、この発明にあっては、マットレスを、複数のポケットコイルを寄せ集めてなるマットレスであって、このマットレスの隅部が、この隅部を挟んで隣り合うマットレスの一辺を形作るポケットコイルと、この隅部を挟んで隣り合うマットレスの他の一辺を形作るポケットコイルとの間に形成されたこのポケットコイルを構成する圧縮コイルスプリング略一つ分の空間に納められたコーナー部材により形作られるものとした。
【０００７】
かかるマットレスにあっては、マットレスの隅部を、ポケットコイルを構成する圧縮コイルスプリングの形状に依存しない形状にすることができる。典型的には、この隅部を、圧縮コイルスプリングの直径よりも小さな直径の円の円弧に沿った形状にしたり、エッジ状にすることができる。また、マットレスの運搬時などに接触などが生じやすい隅部に圧縮コイルバネが配されないことから、こうした運搬時に隅部に外力が作用されても、マットレス全体のクッション性などに影響が及ぶことがない。こうした観点などからは、かかるコーナー部材は、プラスチックフォーム材又フォームラバー材から構成させておくことが最適である。
【０００８】
前記コーナー部材が、出隅を形成するように交わる二つの外側面と、マットレスの一辺を形作るポケットコイルに接する内側面と、マットレスの他の一辺を形作るポケットコイルに接する内側面とを備えてなるものとすれば、かかるコーナー部材を前記空間内に所望の向きで安定的に位置づけることができる。より好ましくは、かかるコーナー部材の内側面の少なくとも一部を、ポケットコイルを構成する圧縮コイルスプリングの円弧に倣った湾曲面にしておく。このようにしておけば、かかる内側面を前記空間に臨んだポケットコイルの側面に都合良く接しさせて、かかる空間にコーナー部材を位置づけさせることができる。
【発明の効果】
【０００９】
この発明によれば、マットレスの隅部の形状は、ポケットコイルの外形に依存することなくコーナー部材の外形にのみ依存することから、この隅部のデザインの自由度が高められる。また、コーナー部材によって隅部から作用される外力が他の部位にできるだけ影響しないようにすることができる。
【図面の簡単な説明】
【００１０】
【図１】図１は実施の形態にかかるマットレスの斜視構成図である。
【図２】図２は同マットレスの分解斜視構成図である。
【図３】図３は図２の要部斜視構成図であり、マットレスの隅部を構成するその主体部の隅部である。
【図４】図４はコーナー部材の斜視図である。
【図５】図５は従来のポケットコイルから構成されたマットレスの分解斜視構成図である。
【発明を実施するための形態】
【００１１】
以下、図１〜図４に基づいて、この発明の典型的な実施の形態について説明する。この実施の形態にかかるマットレスＭは、ベッドを構成するものである。具体的には、かかるマットレスＭは、ベッドのボトム上に載置されて、ベッドを構成するものである。
【００１２】
また、かかるマットレスＭは、 複数のポケットコイル１、１…を寄せ集めて構成されている。図示の例では、複数のポケットコイル１、１…を並行配列させて、マットレスＭを構成させている。ポケットコイル１は、圧縮コイルスプリング１ａを圧縮させた状態で、ポケット１ｂ（袋）に納めてなる。図示の例では、かかるポケットコイル１は、圧縮コイルスプリング１ａを納めた複数のポケット１ｂ、１ｂ…を、隣り合うポケット１ｂ同士が納められた圧縮コイルスプリング１ａの側部側において繋がった状態で、連続的に備えてなる。かかるポケットコイル１は、筒状にした不織布などからなる生地１ｃ内に圧縮コイルスプリング１ａを一つずつ納めながら、この筒状の生地１ｃに対し一つずつの圧縮コイルスプリング１ａの両側においてそれぞれその幅方向に沿った溶着部（図示は省略する。）を形成させることで、構成されている。各圧縮コイルスプリング１ａは同寸同形であり、各ポケット１ｂは略同じ大きさとなっている。前記隣り合うポケット１ｂ同士はこの溶着部において繋がっている。したがってまた、各ポケット１ｂに納められた各圧縮コイルスプリング１ａはいずれもスプリング巻回軸を前記筒状の生地の幅方向に沿わせている。この実施の形態にあっては、このように構成される複数のポケットコイル１、１…を、構成されるマットレスＭの厚さ方向に圧縮コイルスプリング１ａのスプリング巻回軸が沿い、かつ、このマットレスＭの長さ方向に各ポケットコイル１の長さ方向を沿わせるように並行配列させることにより、マットレスＭの主体部Ｍａを構成させている。このように配列されるポケットコイル１同士はその側面において接着させ合わされる。
【００１３】
このように構成される主体部Ｍａの上下にはそれぞれ、マットレスＭの上面及び下面の外郭形状に倣ったボーダーワイヤー２がＣリング２ａを介して取り付けられる。主体部Ｍａの上面及び下面にはそれぞれ、シーティング３とクッション４を挟んで、キルトパネル５が張り込まれる。また、主体部Ｍａの側面はボーダー６により覆われる。
【００１４】
この実施の形態にあっては、このように構成されるマットレスＭの隅部Ｍｂが、この隅部Ｍｂを挟んで隣り合うマットレスＭの一辺を形作るポケットコイル１と、この隅部Ｍｂを挟んで隣り合うマットレスＭの他の一辺を形作るポケットコイル１との間に形成されたこのポケットコイル１を構成する圧縮コイルスプリング１ａ略一つ分の空間Ｓに納められたコーナー部材７により形作られるようになっている。
【００１５】
これにより、この実施の形態にかかるマットレスＭにあっては、マットレスＭの隅部Ｍｂを、ポケットコイル１を構成する圧縮コイルスプリング１ａの形状に依存しない形状にすることができる。典型的には、この隅部Ｍｂを、圧縮コイルスプリング１ａの直径よりも小さな直径の円の円弧に沿った形状にしたり、エッジ状にすることができる。また、マットレスＭの運搬時などに接触などが生じやすい隅部Ｍｂに圧縮コイルバネが配されないことから、こうした運搬時に隅部Ｍｂに外力が作用されても、マットレスＭ全体のクッション性などに影響が及ぶことがない。こうした観点などからは、かかるコーナー部材７は、プラスチックフォーム材又フォームラバー材から構成させておくことが最適である。
【００１６】
かかるコーナー部材７は、前記隅部Ｍｂを形作る外形を備えており、したがってまた、マットレスＭの厚さ方向に亘る高さを有している。マットレスＭの主体部Ｍａの上面及び下面には前記キルトパネル５が張り込まれ、かつ、側面はボーダー６により覆われることから、コーナー部材７は前記ボーダーワイヤーに取り付けなくてもマットレスＭの隅部Ｍｂに安定的に位置づけられ続ける。
【００１７】
この実施の形態にあっては、マットレスＭの四箇所の隅部Ｍｂがそれぞれ、かかるコーナー部材７で形作られるようになっている。また、かかるコーナー部材７は、出隅を形成するように交わる二つの外側面７ａ、７ａと、マットレスＭの一辺を形作るポケットコイル１に接する内側面７ｂと、マットレスＭの他の一辺を形作るポケットコイル１に接する内側面７ｂとを備えてなる。これにより、かかるコーナー部材７は、前記空間Ｓ内に所望の向きで安定的に位置づけられる。
【００１８】
また、この実施の形態にあっては、かかるコーナー部材７の内側面７ｂは、ポケットコイル１を構成する圧縮コイルスプリング１ａの円弧に倣った湾曲面７ｃを持っている。このようしておけば、かかる内側面７ｂを前記空間Ｓに臨んだポケットコイル１の側面に都合良く接しさせて、かかる空間Ｓにコーナー部材７を位置づけることができる。
【００１９】
図示の例では、コーナー部材７は、マットレスＭの厚さと略等しい高さを備えた角柱状体の一つの隅７ｄを挟んで隣り合う側面を前記外側面７ａとすると共に、この一つの隅７ｄの対角線上にある隅７ｅを挟んで隣り合う側面にそれぞれ上下方向に亘る溝状部７ｆを形成させている。この溝状部７ｆの横断面形状は、ポケットコイル１を構成する圧縮コイルスプリング１ａの円弧に倣った凹状となっており、図示の例ではこの溝状部７ｆの内面が前記内側面７ｂとして機能するようになっている。コーナー部材７における前記対角線上にある隅７ｅは、前記空間Ｓに面した前記一辺側のポケットコイル１の一つ１’と他の一辺側のポケットコイル１の一つ１”の中心（圧縮コイルスプリング１ａのスプリング巻回軸）を結ぶ直線ｘよりもマットレスＭの内方に位置され、かつ、この直線ｘ上での両ポケットコイル１の側面間の間隔よりも横方向の寸法を大きくすることから、（図３参照）コーナー部材７は両ポケットコイル１間に安定的に保持される。
【符号の説明】
【００２０】
Ｍ  マットレス
Ｍｂ  隅部
１  ポケットコイル
１ａ  圧縮コイルスプリング
７  コーナー部材
Ｓ  空間
【図１】
2010259701.tif 000003
【図２】
2010259701.tif 000004
【図３】
2010259701.tif 000005
【図４】
2010259701.tif 000006
【図５】
2010259701.tif 000007